(57)【要約】 【課題】オーディオミキサを遠隔制御するための遠隔制御装置を、比較的小型で携帯可能な携帯端末で実現する。【解決手段】携帯端末１とミキサ２とは通信ネットワークを介して通信可能に接続され、ミキサ２は携帯端末１からの要求に応じて、自機に具わる複数の操作子４のリストを携帯端末１に送信する。ユーザは、携帯端末１において、ミキサ２から取得したリストから任意の操作子４を選択する。そして、携帯端末１では、前記選択された操作子４について操作子画像５を表示器３上に作成する。ユーザは、操作子画像５を用いて前記選択した操作子４についてミキサ２を遠隔制御する。携帯端末１は、ミキサ２の一部の操作子のデータだけ持っていれば良いので、比較的小型で携帯可能な携帯端末で実現できる。【選択図】  図１
2007258826.tif 000002
【特許請求の範囲】
【請求項１】
複数の操作子を有する音響装置を遠隔制御するための遠隔制御装置であって、
制御対象の音響装置と通信するための通信手段と、
前記制御対象の音響装置に具わる前記複数の操作子の一部又は全部をリスト化してユーザに提示するためのリスト情報を前記音響装置から取得する取得手段と、
前記取得したリスト情報に基づき、前記音響装置に具わる複数の操作子のうちの任意の操作子をユーザに選択させる選択手段と、
前記選択された操作子についてユーザによる入力操作を受け付けるための操作ツール画像を作成する操作ツール画像作成手段と、
前記生成された操作ツール画像を用いた入力操作に応じて、前記選択された操作子に対する操作通知を前記音響装置に送信して該音響装置を遠隔制御する制御手段と
を備えることを特徴とする遠隔制御装置。
【請求項２】
前記選択手段において選択された操作子について、該操作子と自機とを関連付けて記憶するよう前記音響装置に通知する関連付け要求手段を更に備えることを特徴とする請求項１に記載の遠隔制御装置。
【請求項３】
前記操作ツール画像作成手段において、前記選択手段により選択された操作子に対応する画像情報を前記制御対象の音響装置から取得する手段を更に備えることを特徴とする請求項１又は２に記載の遠隔制御装置。
【請求項４】
前記操作ツール画像作成手段において、前記選択手段により選択された操作子を特定するための操作子特定情報を不揮発的に記憶する記憶手段を更に備えることを特徴とする請求項１乃至３の何れかに記載の遠隔制御装置。
【請求項５】
前記制御手段は、前記生成された操作ツール画像を用いた入力操作に応じた操作通知を前記制御対象の音響装置に対してリアルタイムで送信するものであることを特徴とする請求項１乃至４の何れかに記載の遠隔制御装置。
【請求項６】
前記制御手段は、入力確定操作を受け付ける確定手段を更に備え、前記入力確定操作に応じて、前記生成された操作ツール画像を用いた入力操作に応じた操作通知を前記制御対象の音響装置に対して送信する非リアルタイム制御を行なうものであることを特徴とする請求項１乃至４の何れかに記載の遠隔制御装置。
【請求項７】
複数の操作子と、
遠隔制御装置と通信するための通信手段と、
前記遠隔制御装置からの要求に応じて、前記複数の操作子の一部又は全部をリスト化してユーザに提示するためのリスト情報を該遠隔制御装置に送信する手段と、
前記遠隔制御装置から前記特定の操作子に対する操作通知を受信して、該受信した操作通知に応じた信号処理を音響信号に対して実行する信号処理部と
を備えることを特徴とする音響装置。
【請求項８】
コンピュータを、複数の操作子を有する音響装置を遠隔制御するための遠隔制御装置として機能させるために実行されるソフトウェアプログラムであって、
制御対象の音響装置と通信する手順と、
前記制御対象の音響装置に具わる前記複数の操作子の一部又は全部をリスト化してユーザに提示するためのリスト情報を前記音響装置から取得する手順と、
前記取得したリスト情報に基づき、前記複数の操作子の中から任意の操作子を選択する手順と、
前記選択された操作子についてユーザによる入力操作を受け付ける操作ツール画像を生成する手順と、
前記生成された操作ツール画像を用いた入力操作に応じて、前記選択された操作子に対する操作通知を前記音響装置に送信して該音響装置を遠隔制御する手順と
を備えることを特徴とするプログラム。
【請求項９】
前記操作ツール画像を作成する手順において、前記選択された操作子に対応する画像情報を、前記制御対象の音響装置から取得する手順を更に具えることを特徴とする請求項８に記載のプログラム。
【請求項１０】
前記遠隔制御する手順において、前記生成された操作ツール画像を用いた入力操作に応じた操作通知を前記制御対象の音響装置に対してリアルタイムで送信することを特徴とする請求項８又は９に記載のプログラム。
【請求項１１】
前記遠隔制御する手順において、入力確定操作を受け付ける手順を更に備え、前記入力確定操作に応じて、前記生成された操作ツール画像を用いた入力操作に応じた操作通知を前記制御対象の音響装置に対して送信する非リアルタイム制御を行なうことを特徴とする請求項８又は９に記載のプログラム。
【発明の詳細な説明】
【技術分野】
【０００１】
この発明は、オーディオミキサ等の音響装置を遠隔制御する遠隔制御装置、又は、遠隔制御装置によって遠隔制御されるオーディオミキサ等の音響装置、又は、コンピュータを遠隔制御装置として機能させるためのソフトウェアプログラムに関する。
【背景技術】
【０００２】
従来から、オーディオミキサを外部の装置（例えばパーソナルコンピュータ等）から遠隔制御することが行なわれている。従来から知られるミキサの遠隔制御においては、遠隔制御を行なうパーソナルコンピュータ（ＰＣ）において制御対象となるミキサを遠隔制御するためのソフトウェアプログラムが搭載され、該ＰＣのディスプレイ上に制御対象となるミキサの各種動作パラメータを編集する画面を表示し、該画面上からミキサを遠隔制御できた。
【０００３】
また、従来から知られるオーディオミキサ等の音響装置を遠隔制御する装置の一例として、１台の遠隔制御装置を用いて複数種類の制御対象を個別に制御できる装置があった（下記特許文献１等を参照）。これによれば、遠隔制御装置には複数種類の制御対象の各々に対応するデータ変換規則を予め用意しておき、遠隔制御装置にて発生した操作データを、制御対象のミキサ種類に応じたデータ変換規則で自動的に変換して、異なる種類の複数のミキサを個別に遠隔制御できた。
【特許文献１】特開２００４−３１０５８８号公報
【０００４】
しかし、従来技術において、ミキサを外部のＰＣ等から遠隔制御する場合、遠隔制御装置側では、制御対象のミキサの全ての機能を制御できることが前提とされていた。周知のとおりオーディオミキサの内部構成は非常に複雑であり、ミキサの信号処理を構成する制御要素の点数が非常に多かった。このため、ミキサの遠隔制御用のプログラムを起動する装置においては、編集作業の操作性等に鑑みて、比較的に大きなディスプレイや容量豊富なメモリ等を実装することが要求されていた。従って、ミキサの遠隔制御用の装置は比較的可搬性に乏しい装置であった。また、ミキサの全ての機能を小型の携帯型端末装置に実装させることは、携帯型端末装置のスペック上の制約から困難であったため、これをミキサの遠隔制御用の装置として適用することはできなかった。
【発明の開示】
【発明が解決しようとする課題】
【０００５】
この発明は、上述の点に鑑みてなされたもので、オーディオミキサ等の音響装置を遠隔制御するための遠隔制御装置において、比較的小型で携帯可能な遠隔制御装置、または、前記遠隔制御装置による制御対象となる音響装置、又は、コンピュータを前記遠隔制御装置として機能させるソフトウェアプログラムを提供することを目的としている。
【課題を解決するための手段】
【０００６】
この発明は、複数の操作子を有する音響装置を遠隔制御するための遠隔制御装置であって、制御対象の音響装置と通信するための通信手段と、前記制御対象の音響装置に具わる前記複数の操作子の一部又は全部をリスト化してユーザに提示するためのリスト情報を前記音響装置から取得する取得手段と、前記取得したリスト情報に基づき、前記音響装置に具わる複数の操作子のうちの任意の操作子をユーザに選択させる選択手段と、前記選択された操作子についてユーザによる入力操作を受け付けるための操作ツール画像を作成する操作ツール画像作成手段と、前記生成された操作ツール画像を用いた入力操作に応じて、前記選択された操作子に対する操作通知を前記音響装置に送信して該音響装置を遠隔制御する制御手段とを備えることを特徴とする遠隔制御装置である。
【０００７】
また、この発明は、複数の操作子と、遠隔制御装置と通信するための通信手段と、前記遠隔制御装置からの要求に応じて、前記複数の操作子の一部又は全部をリスト化してユーザに提示するためのリスト情報を該遠隔制御装置に送信する手段と、前記遠隔制御装置から前記特定の操作子に対する操作通知を受信して、該受信した操作通知に応じた信号処理を音響信号に対して実行する信号処理部とを備えることを特徴とする音響装置である。
【０００８】
更に、この発明は、コンピュータを、複数の操作子を有する音響装置を遠隔制御するための遠隔制御装置として機能させるために実行されるソフトウェアプログラムであって、制御対象の音響装置と通信する手順と、前記制御対象の音響装置に具わる前記複数の操作子の一部又は全部をリスト化してユーザに提示するためのリスト情報を前記音響装置から取得する手順と、前記取得したリスト情報に基づき、前記複数の操作子の中から任意の操作子を選択する手順と、前記選択された操作子についてユーザによる入力操作を受け付ける操作ツール画像を生成する手順と、前記生成された操作ツール画像を用いた入力操作に応じて、前記選択された操作子に対する操作通知を前記音響装置に送信して該音響装置を遠隔制御する手順とを備えることを特徴とするプログラムである。
【発明の効果】
【０００９】
この発明によれば、遠隔制御装置と音響装置とは通信手段を介して通信可能に接続され、音響装置は遠隔制御装置からの要求に応じて、自機に具わる複数の操作子の一部又は全部をリスト化してユーザに提示するためのリスト情報を遠隔制御装置に送信し、遠隔制御装置においては、音響装置から取得したリスト情報に基づき、音響装置に具わる複数の操作子のうちの任意の操作子をユーザに選択させることができる。そして、遠隔制御装置では、前記選択された操作子についてユーザによる入力操作を受け付けるための操作ツール画像を作成し、生成された操作ツール画像を用いた入力操作に応じて、前記選択された操作子に対する操作通知を前記音響装置に送信する。音響装置では、前記操作通知を受信して、該受信した操作通知に応じた信号処理を音響信号に対して実行する。これにより、遠隔制御装置は任意に選択した特定の操作子についてのみ音響装置を遠隔制御できる。すなわち、この発明に係る遠隔制御装置においては、遠隔制御の対象となる一部の操作子についてのみ遠隔制御用の各種データを保持していればよい。従って、小型で可搬性に優れた携帯型端末装置を用いて当該遠隔制御装置を実現することができるようになるという優れた効果を奏する。
【００１０】
また、この発明は、装置の発明として構成及び実施するのみならず、汎用のコンピュータ等を、この発明に係る装置として動作させるためのソフトウェアプログラムの形態で構成及び実施されてもよい。
【発明を実施するための最良の形態】
【００１１】
以下添付図面を参照して、この発明の一実施例について説明する。
【００１２】
図１は、この発明の一実施例に係る遠隔制御システムの概要を説明するための概念図である。図１において、符号１はオーディオミキサを遠隔制御するための携帯型端末装置（遠隔制御装置）であり、符号２は該携帯端末１により遠隔制御されるミキサである。携帯端末１は、タッチパネル式表示器３を具備する適宜の汎用端末装置であって、例えば、ゲーム機、ＰＤＡ、タブレット等を適用することができる。携帯端末１とミキサ２は、無線ＬＡＮ等の適宜の通信ネットワークを介してデータ通信可能に接続される。なお、図１においては、複数台の携帯端末１（携帯端末α及び携帯端末β）と複数台のミキサ２（ミキサＡ及びミキサＢ）からなる遠隔制御システムの構成例が描かれている。
【００１３】
この実施例に係る携帯端末１によれば、ユーザは、ミキサ２に具わる複数の操作子４の中から任意の操作子４を選択し、該選択した操作子４に対応する操作子画像５だけを表示器３上に表示させることができ、操作子画像５に対応する操作子４についてミキサ２を遠隔制御できるようになることが後述から明らかになる。
例えば、「ミキサＡ」は、複数系統のチャンネルストリップ（図において「ＣＨ１」〜「ＣＨ４」の４つの入力チャンネルと、「ＣＨＬ」及び「ＣＨＲ」の２つステレオチャンネルと、１つのマスターボリュームチャンネル「Ｍａｓｔｅｒ」の計７つ）を具備し、各チャンネル毎に割り当てられたオーディオ信号の音量レベルを調整するためのフェーダ操作子を具えたミキサである。携帯端末αにおいては、ミキサＡのＣＨ１のフェーダ操作子及びＣＨ３のフェーダ操作子とが遠隔制御の対象として選択されている。すなわち、ユーザは、携帯端末αを用いて、ミキサＡのＣＨ１とＣＨ３の各フェーダ操作子（つまりＣＨ１とＣＨ３の各音量レベル）をそれぞれ遠隔制御することができる。
【００１４】
図２は携帯端末１の電気的ハードウェア構成を示すブロック図である。携帯端末１は、ＣＰＵ１０、不揮発メモリ１１、ＲＡＭ１２及び該ＣＰＵ１０に接続されたタイマ１０Ａからなるマイクロコンピュータと、タッチパネル式表示器３と、該表示器３における表示を制御するための表示制御回路１３と、該表示器３の画面上での入力操作を検出するための画面操作検出回路１４と、ミキサ２との間でデータ通信可能に接続するための通信インターフェース（通信Ｉ／Ｆ）１５と、各種スイッチ類等を含む物理的な操作子群１８の操作を検出する操作子検出回路１６と、メモリカード等の記憶媒体を装着するための記録メディアスロット１７等を含んで構成され、各装置間がバス１０Ｂを介して接続されている。
【００１５】
この実施例に係る携帯端末１は、通信Ｉ／Ｆ１５を介して、例えば、ＬＡＮ（ローカルエリアネットワーク）、インターネット、電話回線等の通信ネットワークに接続されており、該ネットワーク上に存在するミキサ２との間で通信可能である。前記通信ネットワークは、この実施例では一例として、無線ＬＡＮにより通信ネットワークが構築されるものとする。無線ＬＡＮにおける通信方式は、従来から知られる適宜の通信方式を適用してよく、例えば、ミキサ２と携帯端末１との間で、つまり機器対機器の間で通信を確立するアドホックモード通信方式や、無線アクセスポイントを介して通信を確立するインフラストラクチャーモード通信方式などを適用しうる。なお、携帯端末１は通信Ｉ／Ｆ１５を介してインターネットに接続し、該インターネット上の他の機器と通信できてもよい。
【００１６】
ＣＰＵ１０を含むマイクロコンピュータは、不揮発メモリ１１或いはＲＡＭ１２に格納された各種プログラムを実行して、この携帯端末１の全体的な動作制御を行なうと共に、以下に詳しく述べる通り、ミキサ２の遠隔制御を実行するためのソフトウェアプログラムを実行する。なお、ＣＰＵ１０により実行される各種プログラムは、通信Ｉ／Ｆ１５を介してインターネット上のサーバコンピュータからダウンロードしたものを利用することも可能である。これによりプログラムの追加やバージョンアップ等を容易に行える。また、不揮発メモリ１１は、詳しくは後述する通り、ミキサ２に具わる操作子を遠隔制御するために利用する各種データを記憶するために利用されるもので、フラッシュメモリやＥＥＰＲＯＭ等、適宜の書き換え可能な不揮発性メモリで構成されてよい。
【００１７】
タッチパネル式表示器３は、例えばＬＣＤ（液晶表示パネル）等により構成されるもので、表示制御回路１３の制御により各種操作子画像等のＧＵＩオブジェクトを表示し、画面接触による入力操作を受け付ける。表示器３における入力操作は画面操作検出回路１４にて検出され、ＣＰＵ１０に出力される。ユーザは、携帯端末１におけるパラメータ設定操作や各種機能の起動指示等、各種入力操作の大半を表示器３を用いて行なうことができる。この実施例において、表示器３には、ユーザが遠隔制御の対象として選択されたミキサの任意の操作子に対応する操作子画像が表示され（図１参照）、該表示器３において該操作子画像を操作することができる。
【００１８】
図３は、オーディオミキサ２の電気的ハードウェア構成を示すブロック図である。ミキサ２は、ＣＰＵ２０、ＲＯＭ２１、ＲＡＭ２２、該ＣＰＵ２０に接続されたタイマ２０Ａからなるマイクロコンピュータと、信号処理回路（ＤＳＰ）２３と、操作子検出回路２４と、表示制御回路２５と、通信インターフェース（通信Ｉ／Ｆ）２６と、不揮発メモリ２７と、外部記憶装置２８とを含み、各装置間がバス２０Ｂを介して接続される。
【００１９】
ミキサ２は、通信Ｉ／Ｆ２６を介して、適宜の通信ネットワークに接続されており、該ネットワーク上に存在する携帯端末１との間で通信可能である。この実施例において、前記通信ネットワークは、前記図２を参照して説明した通り、例えば無線ＬＡＮにより通信ネットワークが構築される。
【００２０】
ＣＰＵ２０は、ＲＯＭ２１或いはＲＡＭ２２に記憶にされた各種ソフトウェアプログラムを実行し、このミキサ２の全体的な動作制御を行い、また、携帯端末１との間の通信を制御する。ＲＡＭ２２は、各種データの一時的な保存に利用され、ミキサの各種パラメータの現在設定値等を記憶するためのカレントメモリ領域等が設けられている。不揮発メモリ２７は、詳しくは後述する通り携帯端末１による遠隔制御を受けるために利用する各種データを格納するために利用するもので、フラッシュメモリやＥＥＰＲＯＭ等、適宜の書き換え可能な不揮発性メモリで構成してよい。なお、マイクロコンピュータにおいてＲＯＭ２１の替わりに不揮発メモリ２７を使用してもよい。また、外部記憶装置２８は、ハードディスク装置（ＨＤＤ）、コンパクトディスク（ＣＤ−ＲＯＭ等）、光磁気ディスク（ＭＯ）、ＤＶＤ等、適宜の外部記憶媒体により構成されてよい。
【００２１】
操作子検出回路２４を介して操作子群２９が接続されている。操作子群２９は、ミキサ２の操作パネル（コンソール）上に配備された各種操作子であって、スライド操作されるフェーダ操作子や、回転式に操作されるノブ型操作子など、種々の操作子が多数含まれている。ユーザは、操作子群２９を使用して、各種パラメータの設定や、各種機能の起動指示等を行うことができる。また、表示制御回路２５を介して表示器３０が接続される。表示器３０は、例えばＬＣＤ（液晶表示パネル）等により構成され、操作パネル上に配設されている。ユーザは、表示器３０にミキサ２の各種機能に応じたウィンドウを読み出し、表示器３０に読み出されたウィンドウ上のＧＵＩを使用して、ミキサ全体の設定や各種機能毎のパラメータの設定等を行うことが可能である。
【００２２】
入力信号Ｉ／Ｆ３１はＡＤ変換器、アンプ等を含み、他の音響機器３２から入力される音響信号をディジタル信号に変換してミキサ２（ＤＳＰ２３）に取り込むインターフェースである。また、ミキサ２（ＤＳＰ２３）から出力される音響信号は、ＤＡ変換器を含む出力信号Ｉ／Ｆ３３を介してアナログ信号に変換され他の音響機器３４に出力される。ＣＰＵ２０は、ユーザが操作子群２９乃至表示器３０上のＧＵＩを用いて行なった各種パラメータ設定に基づく指示をＤＳＰ２３に対して与えることで、該ユーザによる各種パラメータ設定操作の内容をＤＳＰ２３に反映させる。ＤＳＰ２３は、入力信号Ｉ／Ｆ３２を介して他の音響機器３２から入力された音響信号（ディジタル信号）に対して、該ＣＰＵ２０から与えられた指示に基づく信号処理を実行し、その信号処理の結果として得られる音響信号を出力信号Ｉ／Ｆ３３を介して他の音響機器３４へ出力する。これにより、他の音響機器３２から入力された音響信号に対して任意の信号処理（ミキシング処理や効果付与処理など）を施す。
【００２３】
ユーザは、上記構成からなる携帯端末１において、該携帯端末１による遠隔制御の対象となるミキサを特定する処理（ペアリング確立処理）を行ない、更に、該選択したミキサにおいて制御対象となる操作子を任意に選択する処理（操作子関連付け処理）を行なう。これにより、或る携帯端末によって、特定のミキサの特定の操作子だけが遠隔制御されるように設定できる。
【００２４】
以下、「ペアリング確立処理」と「操作子関連付け処理」の手順について説明する。
この実施例では、携帯端末１とミキサ２の間で、遠隔制御に係る通信相手を相互に認証すること（通信相手を特定すること）を「ペアリング」という。図４は、携帯端末１が制御対象とするミキサ２を特定する「ペアリング確立処理」処理の手順の一例を示すフローチャートである。図４において（ａ）は携帯端末１側で行なわれる処理を示し、（ｂ）はミキサ２側で行なわれる処理を示す。以下の説明においては、（ａ）に示す携帯端末１側の処理と、（ｂ）に示すミキサ２側の処理とを並行して説明する。
【００２５】
携帯端末１において、ユーザはペアリング相手のミキサの選択要求を行なう適宜の入力操作を行なう。このユーザ操作入力に応じて携帯端末１ではペアリング確立処理が開始する。図４（ａ）のステップＳ１において、携帯端末１はネットワーク内に存在する各ミキサに対して、各ミキサが携帯端末１による遠隔制御に対応しているかどうかを問い合わせる。この問い合わせは、無線ＬＡＮにおいては無線電波の届く範囲内、また、インターネット等においてはサブネットの範囲内等、局所的範囲に対して行なわれる。また、この問い合わせは、ネットワーク内の全ての機器に対して一斉にブロードキャストされてもよいし、ネットワーク内の機器の１つずつに順次問い合わせるよう行なわれてよい。
【００２６】
ミキサ２側では、図４（ｂ）のステップＳ２において、前記ステップＳ１において携帯端末１側から送信された問い合わせを受信する。携帯端末１による遠隔制御に対応しているミキサであれば、ステップＳ３において、前記問い合わせを送信した携帯端末１に対して、該携帯端末１に応答して自機が遠隔制御に対応していることを通知すると共に、自機の識別情報と自機の機器情報とを該携帯端末１に送信する。これにより、問い合わせを行なった携帯端末１に対して、当該ミキサ２を特定するための情報を提供する。ここで、ミキサ２の識別情報は、通信ネットワーク上で当機に固有のＩＤ情報であって、例えば通信Ｉ／Ｆ２６（無線ＬＡＮカード等）に割り当てられたＭＡＣアドレス（MediaAccessControlアドレス）等を利用できる。また、ミキサ２の機器情報は、機種名などにより当機を特定する情報である。一方、携帯端末１による遠隔制御に対応していない機種のミキサやその他の機器は、携帯端末１の問い合わせに応答しなくてもよいし、或いは、自機が非対応機器である旨を通知してもよい。
【００２７】
携帯端末１では、図４（ａ）のステップＳ４において、前記ステップＳ３においてミキサ２から送信された応答、並びに、該ミキサ２の識別情報及び機器情報を受信し、ステップＳ５において、前記ステップＳ４において応答を受信した全てのミキサ２をペアリング相手候補として表示器３にリスト表示する。ユーザは、該ペアリング相手候補のリストの中から、所望のミキサ２をペアリング相手として選択できる。ペアリング相手候補のリストは、例えば、ステップＳ４にて受け取った各ミキサ２の機器情報（機種名等）をリストアップしたものである。
【００２８】
図４（ａ）のステップＳ６において、携帯端末１は、前記ステップＳ５においてユーザにより選択されたミキサ２に対してペアリング要求、つまり、このミキサ２を遠隔制御する旨を通知すると共に、該選択されたミキサ２に対して、自機の識別情報と自機の機器情報とを送信する。これにより、ペアリング相手として選択されたミキサ２に対して、当該携帯端末１を特定するための情報を提供する。携帯端末１の識別情報は、通信ネットワーク上で当機に固有のＩＤ情報であって、例えば通信Ｉ／Ｆ１５（無線ＬＡＮカード等）のＭＡＣアドレス等を利用できる。また、携帯端末１の機器情報は、例えば機種名などにより当機を特定する情報である。
【００２９】
図４（ｂ）のステップＳ７において、ミキサ２は、前記ステップＳ６において携帯端末１から送信されたペアリング要求、並びに、携帯端末１の識別情報及び機器情報を受信し、ステップＳ８において、前記受信した携帯端末１の機器情報に基づき、ペアリング要求を行なった携帯端末１とのペアリングを許可するか否かを判断する。なお、ここでは、携帯端末１の機器情報に基づき当該携帯端末１とのペアリングを許可するか否かを判断しているが、これに限らずペアリング許可するか否かをユーザに問い合わせても良いし、或いは、ここで許可・不許可の判断を行なわずに、無条件に許可しても良い。
【００３０】
ペアリングを許可する場合（ステップＳ８のｙｅｓ）、ステップＳ９において前記ステップＳ７にて受信した携帯端末１の識別情報及び機器情報をミキサ２が保持する「ペアリング中機器リスト」に書き込む。ペアリング中機器リストは、ミキサ２においてペアリング確立した携帯端末１を特定するための情報を記述したリストであって、ミキサ２の不揮発メモリ２７（図３参照）に記憶されている。これにより、ミキサ２において、ペアリングが確立された携帯端末２の識別情報並びに機器情報を不揮発的に記憶する。なお、ペアリング中機器リストの詳細な構成については後述する。そして、ステップＳ１０において、ミキサ２はペアリング要求を行なった携帯端末１にペアリング許可通知を送信する。
【００３１】
一方、ペアリングを許可しない場合（ステップＳ８のｎｏ）、この実施例では、ステップＳ１１においてミキサ２はペアリング要求を行なった携帯端末１にペアリング不許可通知を送信する。この不許可通知により、携帯端末１に別のミキサの選択を促したり、ペアリング確立処理を中止させたりしてよい。
【００３２】
携帯端末１では、図４（ａ）のステップＳ１２において、前記ステップＳ１０においてミキサ２から送信されたペアリング許可を受信し、ステップＳ１３において、ペアリング相手のミキサ２について前記ステップ４で受け取った識別情報並びに機器情報を携帯端末１が保持する「ペアリング中機器リスト」に書き込む。携帯端末１が保持するペアリング中機器リストは、当該携帯端末１においてペアリング確立したミキサ２を特定するための情報を記述したリストであって、携帯端末１の不揮発メモリ１１（図２参照）に記憶されている。これにより、携帯端末１において、ペアリングが確立されたミキサ２の識別情報及び機器情報を不揮発的に記憶する。なお、ペアリング中機器リストの詳細な構成については後述する。
【００３３】
上記図４（ａ）及び（ｂ）に示すペアリング確立処理により、携帯端末１と任意のミキサ２との間でペアリング確立する。ペアリング確立により、携帯端末１とペアリング相手のミキサ２との間で相互認証が行なわれ、携帯端末１による遠隔制御の対象となるミキサ２が特定できる。
【００３４】
ペアリングが確立した携帯端末１とミキサ２においては、各々が保持するペアリング中機器リストに、ペアリング相手の機器を特定する情報が追加される（上記ステップＳ９とステップＳ１３の処理）。図５（ａ）は携帯端末２が保持するペアリング中機器リスト６、（ｂ）はミキサが保持するのペアリング中機器リスト７の構成例であって、一例として、（ａ）には図１に示す携帯端末βが保持するものを、また、（ｂ）には図１に示すミキサＡが保持するものをそれぞれ示している。図５（ａ）及び（ｂ）において、ペアリング中機器リスト６，７には、ペアリング相手の識別情報と機器情報が記録されており、これら情報は、インデックス番号（ｉｎｄｅｘ）により機器毎に管理されている。識別情報は、先に述べた通り、例えば各機器毎のＭＡＣアドレス等、ネットワーク上で各機器毎に固有のＩＤ情報であり、これは図に例示する通り数字及び文字の組み合わせからなるコードである。また、機器情報は例えば機種名などである。（ａ）において携帯端末βのペアリング中機器リスト６には、ペアリング相手のミキサの機種名として、「ミキサＡ」がインデックス番号「１」に、また「ミキサＢ」がインデックス番号「２」にそれぞれ記録されている。また、（ｂ）においてミキサＡのペアリング中機器リスト７には、ペアリング相手の携帯端末機種名として、「携帯端末α」がインデックス番号「１」に、また、「携帯端末β」がインデックス番号「２」にそれぞれ記録されている。
【００３５】
次ぎに「操作子関連付け処理」の手順の一例について図６のフローチャートを参照して説明する。図６（ａ）は携帯端末１側で行なわれる処理を示し、（ｂ）は該携帯端末１のペアリング相手のミキサ２側で行なわれる処理を示す。
携帯端末１において、ユーザは遠隔制御の対象となる操作子の選択要求を指示する適宜の入力操作を行なう。この入力操作に応じて携帯端末１では図６（ａ）の「操作子関連付け処理」が開始する。図６（ａ）のステップＳ１４において、携帯端末１は自機で保持するペアリング中機器リスト６に基づき、自機のペアリング相手となっている全てのミキサのリスト（例えば、自機のペアリング相手となっている全てのミキサの機種名のリスト）を表示器３に表示する。ユーザは表示器３に表示されたリストから所望のミキサを選択する。ユーザが所望のミキサを選択すると、ペアリング相手のミキサ２に対して操作子の選択要求を送出し、該ペアリング相手のミキサ２の「仕様情報」を送信するよう要求する（ステップＳ１５）。前記携帯端末１からの操作子の選択要求を受けたミキサ２では、図６（ｂ）の処理が開始し、ステップＳ１６において、ペアリング相手の携帯端末１に対して自機の仕様情報を送信する。
【００３６】
ミキサ２の仕様情報は、ペアリング相手のミキサ２に具わる操作子群２９の一部又は全部をリスト化してユーザに提示するためのリスト情報であって、少なくとも前記利用用途を満たし得るデータ、つまり携帯端末１側においてユーザが操作子群２９の中から任意の操作子を選択・特定するための参考となるリストをユーザに提示できるデータであればよい。この実施例では、仕様情報は、ミキサ２の操作子群２９に含まれる各操作子の識別情報、各操作子の種類、操作子の数及び各操作子の設定値可変範囲等の要素を含むデータとする。データ形式は、例えば、前記の各種仕様要素を記述したテキストデータであってよい。各操作子の識別情報は当該ミキサ２において各操作子に固有のＩＤ番号である。また、各操作子の種類は、例えば「フェーダ操作子」「ノブ型操作子」「ボタン型スイッチ」等々により操作子の種類を特定する情報と、個々の操作子を特定しうる名前、例えば「チャンネルＣＨ１の操作子」という類の名前とを含むものとする。ミキサ２においては、自機の仕様情報を予め収集・作成しておき、これをＲＯＭ２１や不揮発メモリ２７等の適宜のメモリ内に保持しておいてもよいし、携帯端末１からの操作子の選択要求に応じて自機の仕様情報を収集・作成する処理を行なってもよい。
【００３７】
なお、仕様情報は、上記一例のように、ミキサ２に具わる全ての操作子群２９を一覧するデータに限らず、予め決められた特定の種類の操作子群についてのみ個々の識別情報とその種類・名前を記述したデータや、操作子の種類毎の装備点数のみを記述したデータや、上述の各種要素を適宜組み合わせたデータなど、種々のヴァリエーションが考えうる。また、後述する「操作子関連付けリスト」を参照して、既に他の携帯端末の遠隔制御の対象として指定されているか否かの情報を仕様情報に加えても良い。また、ミキサ２の操作パネル部分や操作子群２９の縮小図や模式図を表す画像情報を仕様情報に加えることで、後述する操作子の選択操作時に、前記操作パネル部分や操作子群２９縮小図や模式図を表す画像を表示器３に表示して、該表示された画像に対するクリック操作やドラッグ操作等により、任意の操作子を選択できるようにしてもよい。
【００３８】
図６（ａ）のステップＳ１７において、携帯端末１はミキサ２から取得した仕様情報に基づき、ペアリング相手のミキサ２が具備する操作子一覧を表示器３に表示する。これにより、ユーザは、ペアリング相手のミキサ２に具わる複数の操作子のうちの任意の操作子を選択することができる。ステップＳ１８において、携帯端末１はユーザによる操作子の選択を受け付けると、ステップＳ１９において、前記選択された操作子の識別情報を含む「関連付け要求」をペアリング相手のミキサ２に送信する。
【００３９】
ミキサ２は、図６（ｂ）のステップＳ２０において、前記ステップＳ１９において携帯端末１から送信された「関連付け要求」と、前記選択された操作子の識別情報とを受け取る。そして、ステップＳ２１において、前記受け取った操作子の識別情報に基づき自機が保持する「操作子関連付けリスト」を参照して、ユーザにより選択された操作子を携帯端末１の遠隔制御の対象に割り当てることができるか、つまり当該操作子が既に他の携帯端末の遠隔制御の対象として割り当てられているかどうかを判断する。ユーザにより選択された操作子を携帯端末１の遠隔制御の対象に割り当てることができる場合は（ステップＳ２０のｙｅｓ）、ステップＳ２２において、該ユーザにより選択された操作子の識別情報を、ミキサ２が保持する「操作子関連付けリスト」に書き込む。ミキサ２が保持する「操作子関連付けリスト」は、自機に具わる操作子群２９について、各操作子毎の携帯端末に対する割り当て（どの操作子がどの携帯端末の制御下にあるか）を管理するリストであって、これはミキサ２の不揮発メモリ２７（図３参照）に記憶されている。これにより、ミキサ２において、携帯端末１による遠隔制御の対象として割り当てられた操作子の識別情報を当該携帯端末１と関連付けて不揮発的に記憶する。そして、ステップＳ２３においてミキサ２は、前記「関連付け要求」を発信した携帯端末１に対して「操作子の関連付け」完了の旨を応答する。
【００４０】
一方、ユーザにより選択された操作子を携帯端末１の遠隔制御の対象に割り当てることができない場合（ステップＳ２１のｎｏ）、ミキサ２は「操作子関連付け処理」を終了する。これは例えば、当該操作子が既に他の携帯端末の遠隔制御の対象として割り当てられている場合等である。これにより、複数の携帯端末が同一の操作子に重複して割り当てられることを防ぐ。
【００４１】
携帯端末１は、図６（ａ）のステップＳ２４において、ミキサ２から「操作子の関連付け」完了の旨を受け取ると、ステップＳ２５において、ユーザが選択した操作子について現在のパラメータ設定値をミキサ２から取得する処理を行なう。これに対して、ミキサ２は、図６（ｂ）のステップＳ２６において、当該操作子の現在のパラメータ設定値をＲＡＭ２２のカレント領域から読み出して、該読み出した現在のパラメータ設定値を携帯端末２に対して送信する。また、ステップＳ２７において、携帯端末１は、ユーザが選択した操作子に対応する操作子画像情報をミキサ２から取得する処理を行なう。これに対して、ミキサ２は、ステップＳ２８において、当該操作子に対応する操作子画像情報を携帯端末１に送信する。この操作子画像情報は、ミキサ２に具わる物理操作子を模擬する操作子画像を表示器上に表示させるためのデータであって、例えばビットマップ形式等、適宜のフォーマットの画像情報であってよい。携帯端末１は、取得した操作子画像情報を不揮発メモリ１１に不揮発的に記憶する。このように、この実施例では、ユーザが選択した操作子について個別にミキサ２から画像情報を取得するように処理している。操作子画像情報は比較的データ量が大きいデータなので、この実施例のように必要な画像情報を選別して携帯端末１にもたせることで、データ量を削減できる。また、選択された操作子についてのみ画像情報を送信しているので通信負荷も少ない。
【００４２】
図６（ａ）のステップＳ２９において、携帯端末１では前記取得した操作子画像情報に基づく操作子画像がタッチパネル式表示器３に表示される。すなわち、ＣＰＵ１０は、表示制御回路１３に指示を与え、タッチパネル式表示器３に操作子画像情報に基づく操作子画像（ＧＵＩオブジェクト）を生成する。これが、前記ユーザが選択した操作子について、携帯端末１においてユーザ入力操作を受け付けるための操作ツール画像として機能する。
【００４３】
例えば、前述図１に示す携帯端末αにおいては、ミキサＡに具わるＣＨ１及びＣＨ３のフェーダ操作子４が割り当てられているので、タッチパネル式表示器３にはＣＨ１及びＣＨ３のフェーダ操作子４に対応する２つのフェーダ操作子画像５が表示される。図１に示す通り、フェーダ操作子画像５は、ミキサ２に具わる物理的フェーダ操作子４の形態を真似たＧＵＩオブジェクトであって、操作つまみ部（可動子）に対応する表示物の表示位置を上下スライド移動させることで、パラメータ設定値を変更させることができる。なお、ステップＳ２９においては、操作子画像の操作つまみ部が、前記ステップＳ２７にて取得したパラメータの現在値に対応する位置に表示されるように処理するとよい。
【００４４】
ステップＳ３０において、前記関連付けた操作子を特定するための情報（操作子特定情報）を、携帯端末１が保持する「操作子関連付けリスト」に書き込む。携帯端末１が保持する操作子関連付けリストは、自機による遠隔制御の対象に割り当てた操作子を管理するリストであって、不揮発メモリ１１（図２参照）に記憶されている。これにより、携帯端末１において、遠隔制御の対象として割り当てた操作子を、該操作子を具備するミキサ２と関連付けて不揮発的に記憶することができる。
【００４５】
上記図６の処理により、携帯端末１において遠隔制御の対象となる任意の操作子を特定し、該特定された操作子に対応する操作子画像がタッチパネル式表示器３に表示される。ユーザは、表示器３に表示された操作子画像を用いて、遠隔制御の対象となる操作子に対応するパラメータ設定値を遠隔制御できるようになる。
なお、携帯端末１において、操作子画像によるパラメータ設定値の可変範囲は、前記仕様情報に含まれる当該操作子の設定値可変範囲のデータに基づき規定される。
【００４６】
図７（ａ）は携帯端末１が保持する「操作子関連付けリスト８」、図７（ｂ）はミキサ２が保持する「操作子関連付けリスト９」の構成例であって、一例として、（ａ）には図１に示す携帯端末βが保持するものを、また、（ｂ）には図１に示すミキサＡが保持するものをそれぞれ示している。
【００４７】
図７（ａ）に示す通り、携帯端末１が保持する操作子関連付けリスト８には、関連付けられた操作子について、当該操作子を具備したミキサを特定する情報として参照する前記図５（ａ）のペアリング中機器リスト６のインデックス番号と、関連付けられた操作子の識別情報と、該関連付けられた操作子の名前と、当該操作子に対応する操作子画像情報の不揮発メモリ１１における記憶番地（アドレス）とが記録されており、これら情報はインデックス番号（ｉｎｄｅｘ）により操作子毎に管理されている。携帯端末１は、この操作子関連付けリスト８に基づき、遠隔制御の対象として割り当てられた操作子を特定すると共に、該操作子が属するミキサを特定することができる。
【００４８】
また、図７（ｂ）に示す通り、ミキサ２が保持する操作子関連付けリスト９には、自機に具わる各操作子の識別情報に対応して、各操作子に割り当てられた携帯端末を特定する情報として参照される前記図５（ｂ）のペアリング中機器リスト７のインデックス番号が記録されている。ミキサ２では、この操作子関連付けリスト９に記録されたインデックス番号を参照して、各操作子に割り当てられた携帯端末を特定することができる。
【００４９】
例えば、図７（ａ）において、携帯端末β（図１参照）が保持する操作子関連付けリスト８には、携帯端末βが遠隔制御の対象とするキサＡのマスターボリュームのフェーダ操作子（インデックス番号「１」）とミキサＢのマスターボリュームのフェーダ操作子（インデックス番号「２」）についての情報が記録されている。また、図７（ｂ）においてミキサＡ（図１参照）が保持する操作子関連付けリスト９においては、操作子識別情報「１」及び「３」の操作子に対応して携帯端末αのインデックス番号が、また、操作子識別情報「７」の操作子に対応して携帯端末βのインデックス番号が示されている。
【００５０】
次ぎに、携帯端末１のタッチパネル式表示器３に表示された操作子画像の操作に応じたパラメータ設定処理の手順の一例について図８のフローチャートを参照して説明する。図８（ａ）は携帯端末１側で行なわれる処理を示している。（ｂ）は遠隔制御の対象（ペアリング相手）のミキサ２側で行なわれる処理を示している。
【００５１】
図８（ａ）の処理は、前記図６（ａ）のステップ２９にてタッチパネル式表示器３に操作子画像情報が生成された後、所定の起動周期毎に繰り返し起動する処理である。そして、タッチパネル式表示器３において操作子画像の操作が行なわれた場合（ステップＳ３１のｙｅｓ）に、ステップＳ３２に進む。ステップＳ３２では、自機が保持する操作子関連付けリスト８（図７（ａ）参照）を参照して、操作された操作子画像に対応するミキサ２を特定し、該特定したミキサ２に対して、表示器３において検出された操作量に応じたパラメータ設定値、並びに、当該操作子画像に対応する操作子の操作子識別情報を通知する。
【００５２】
図８（ｂ）に示すミキサ２側の処理は、操作パネル上の物理操作子の操作検出処理を兼ねており、所定の起動周期毎に繰り返し起動する。ステップＳ３３において、携帯端末１から操作通知があったかどうか判断する。ここで、操作通知を受けていない場合（ステップＳ３３のｎｏ）には、ステップＳ３４において自機の操作パネル上に配置された実際の操作子群の操作有無を判断する。このステップＳ３３及びステップＳ３４の処理構成により、携帯端末１による遠隔制御が優先されるようになっている。
【００５３】
そして、携帯端末１からの操作通知を受けた場合（ステップＳ３３のｙｅｓ）には、携帯端末１から通知された操作量に基づき、また、操作パネル上の実際の操作子操作を検出した場合（ステップＳ３４のｙｅｓ）には該検出した操作量に基づき、ユーザが行なった操作内容をＤＳＰ２３に反映させる（ステップＳ３５）。すなわち、ミキサ２のＣＰＵ２０は、携帯端末１から通知された操作量又は操作パネル上での操作に応じた操作量に応じた指示をＤＳＰ２３に与えることで、ＤＳＰ２３におけるパラメータ設定値を更新する。これにより、ユーザが携帯端末１を用いて行なったパラメータ設定に従い、ミキサ２側のパラメータ設定値が更新される。なお、ミキサ２に具わる操作子がその操作位置をモータ駆動により電動制御可能なタイプである場合には、ユーザが行なった操作内容をＤＳＰ２３に反映させるときに、該操作内容に応じて操作子の操作位置を電動制御してよい。
【００５４】
図８（ｂ）のステップＳ３６において、ミキサ２は操作子関連付けリスト９（図７（ｂ）参照）を参照して、前記ステップＳ３６にてパラメータ設定値を更新した操作子が携帯端末１に関連付けられているかチェックし、関連付けられていれば、ペアリング相手の携帯端末１に対して、パラメータ設定値の更新を通知する。従って、携帯端末１の遠隔制御の対象に割り当てられた操作子が操作パネル上において操作された場合には、これに応じたパラメータ設定値の更新が携帯端末１に通知される。
【００５５】
携帯端末１は、ペアリング相手のミキサ２からパラメータ設定値の更新を受け取ってから（図８（ａ）のステップＳ３７のｙｅｓ）、ステップＳ３８において、前記ミキサ２から受け取った更新内容のデータに基づき、パラメータ設定値と操作子画像の表示態様（例えばフェーダ式操作つまみ部のスライド位置）を更新する。すなわち、この実施例では、ミキサ２からの更新通知を受けない限り、携帯端末１において行なわれた操作内容が当該携帯端末１に反映されないようになっている。
以上の処理により、携帯端末１を用いてミキサ２に具わる任意の操作子を遠隔制御することができる。
【００５６】
なお、「操作子関連付け（遠隔制御対象の操作子割り当て）」の解除は、ペアリング中の携帯端末１及びミキサ２であれば、何れの機器からでもこれを実行することができ、各操作子毎に個別に解除指定ができてよい。また、携帯端末１及びミキサ２のペアリングが解除されれば、両者の間における操作子関連付けは全て解除される。また、操作子関連付の解除結果は不揮発的な記憶にも反映される、すなわち、携帯端末１及びミキサ２の双方における操作子関連付けリスト８，９の該当する項目が消去される。
【００５７】
また、携帯端末１とミキサ２との間のペアリングの解除もまた、ペアリング中の携帯端末１及びミキサ２であれば、何れの機器からでもこれを実行することができ、解除結果は不揮発的な記憶にも反映される、すなわち、携帯端末１及びミキサ２の双方におけるペアリング中機器リスト６，７の該当する項目が消去される。
【００５８】
以上説明した通り、この実施例によれば、ユーザはミキサ２に具わる複数の操作子の中から任意の操作子を選択し、該選択した操作子に対応する操作子画像だけを携帯端末２の表示器３上に表示・生成せしめ、該携帯端末２の表示器３に表示した操作子画像を用いてミキサ２に具わる前記任意に選択された操作子を遠隔制御することができる。携帯端末１においては、ミキサ２の一部の操作子のみを遠隔制御の対象とし、該遠隔制御の対象の一部の操作子に対応する各種データ（操作子画像５や、ペアリング中機器リスト６，７や操作子関連付けリスト８，９の内容等）だけ保持していればよく、また、当該ミキサ２に専用の遠隔制御用プログラムを実装する必要もない。従って、小型で可搬性に優れた携帯型端末装置１を用いてミキサ２の遠隔制御用の端末装置を実現することができるようになる。よって、例えばコンサート会場等において、ミキサ２のオペレータは、携帯端末１を利用したミキサ２の遠隔制御を、ミキサ２の設置位置に束縛されることなく、状況に応じて任意の位置で行なうことができるようになる。また、ユーザが選択した必要な部品（操作子）に対応する最小限の操作子画像だけが表示器３上に生成されるので、携帯端末１に具わる比較的表示画面の面積の小さい表示器３においても作業が行ない易く、操作性に優れている。また、携帯端末１においては、選択された操作子だけが制御対象となるため、それ以外の操作子に不所望な編集が施されてしまうことも防止できる。
【００５９】
なお、ミキサ２においては、１つの操作子の操作に連動（追従）して、他の操作子が影響を受けるように設定されている場合がある。例えば、左右ステレオ信号を２つのチャンネルに分配している場合、該２つのチャンネルの音量レベル（フェーダ操作子）が連動するよう設定されていることが多い。このような連動設定がなされている場合、連動によるパラメータ更新は、携帯端末１側、ミキサ２側の何れにおいても有効とする。すなわち、携帯端末１に関連付けられている操作子が連動設定によって影響を受ける場合は、前記図８（ｂ）のステップＳ３６では、その旨を携帯端末１に通知する処理も行なうとよい。
例えば、連動設定された操作子に対応する２つの操作子画像が携帯端末１側に生成されており、その一方の操作子画像が操作された場合、ミキサ２ではステップＳ３５において連動設定された２つのパラメータを更新し、ステップＳ３６において、連動設定された２つの操作子について更新の通知を行なう。これにより、携帯端末１では該２つの操作子について（つまり表示器３では操作されていない方も同様に）パラメータ設定値と画像表示の更新を行なう。
【００６０】
なお、上記図８（ｂ）の処理では、携帯端末１の遠隔制御の対象に割り当てられた操作子が操作パネル上で実際に操作された場合、これに応じたパラメータ設定値の更新が携帯端末１に通知されるものとしたが、携帯端末１の遠隔制御の対象に割り当てられた操作子については操作パネル上で実際に操作を無効としてもよい。この場合、携帯端末１に割り当てられた操作子については、操作パネル上での操作内容を信号処理部２３に反映させないようにしてもよいし、或いは、携帯端末１に割り当てられた操作子は、ステップＳ３４における操作検出対象から除外するようにしてもよい。
【００６１】
また、上記図８（ａ）に示す処理では、ステップＳ７においてミキサ２からの設定値更新通知を受信してから、ステップＳ８において携帯端末１の操作子画像の表示を更新しているが、当該処理の変更例として、ミキサ２の操作パネルにおける操作を携帯端末１に反映させる必要のない場合等は、ミキサ２からの設定値更新通知を受けることなく、携帯端末１における操作子画像の操作の操作内容が直ぐに携帯端末１の操作子画像の表示態様に反映されるようにしても良い。
【００６２】
また、上記図８に示す処理例では、携帯端末１において１つの操作子画像（１つのパラメータ）が操作される度に、該操作内容がミキサ２側に通知されるリアルタイム制御の例を示した。パラメータ設定処理は上記の様なリアルタイム制御に限らず、非リアルタイムで制御されてもよい。図９はパラメータ設定処理の別の例として非リアルタイム制御例を示すフローチャートである。この処理もまた、前記図６（ａ）のステップ２９にてタッチパネル式表示器３に操作子画像情報が生成された後、所定の起動周期毎に繰り返し起動するものとする。
【００６３】
この例では、携帯端末１においての操作子画像の操作が検出されると（ステップＳ３９のｙｅｓ）、ステップＳ４０において当該操作子に対応するパラメータの現在設定値と、当該操作子画像の表示態様を、前記ステップＳ３９にて検出した操作内容に基づき更新するようになっている。図９に示す非リアルタイム制御の例では、ステップＳ４１においてユーザによる確定操作を受け付けている。そして、この確定操作が行なわれた場合（ステップＳ４１のｙｅｓ）に、ステップＳ４２において携帯端末１側にて行なわれた操作子画像の操作内容を、ペアリング相手のミキサ２に通知する。このステップＳ４２において、ペアリング相手のミキサ２には、自機に割り当てれている全ての操作子画像についての操作量を通知してもよいし、或いは、前回の通知から操作量に変化のあった操作子画像についてのみ通知を行なうようにしてもよい。このように図９に示す非リアルタイム制御の処理構成例では、ユーザは携帯端末１側において複数の操作子画像について操作を行なった後、複数の操作内容をまとめてミキサ２側に反映させることができる。なお、図９に例示する非リアルタイム制御の処理においても、ミキサ２における更新内容のデータが携帯端末１側に返信されてもよい。
【００６４】
なお、上記図１に示すシステム構成例では、携帯端末１による遠隔制御の対象の操作子として、音量レベルを調整するフェーダ操作子が選択されている例を示したが、操作子の種類はどのようなものであってもよい。また、上記実施例においては、携帯端末１による遠隔制御の対象を操作子単位で選択する例を示したが、携帯端末１の遠隔制御の対象として選択する単位としては、上記に限らず、ミキサ２の機能の一部分でさえあれば、どのような単位で選択できてもよい。例えば、１つのチャンネルストリップや、或るエフェクタを１つの機能的要素として選択できてもよい。なお、このような場合においても、チャンネルストリップやエフェクタ等、１つの機能的要素に関わる複数の操作子をそれぞれ携帯端末１の遠隔制御の対象として選択している、と見なすことができる。すなわち、上記図６（ａ）のステップ１７において携帯端末１がユーザに提示する操作子一覧において、複数操作子を機能毎に纏めて選択できる選択肢が含まれていても良い。
【００６５】
なお、上記実施例において、操作子画像をミキサから取得した（ステップＳ２７）。これに限らず、携帯端末１が予め持っている操作子画像をミキサの遠隔制御用に流用してもよく、携帯端末１が予め持っている操作子画像を利用する場合には、上記ステップＳ２７において当該操作子の種類を特定する情報をミキサから取得し、取得した操作子の種類を特定する情報に対応する種類の操作子画像を利用するようにしてもよい。
【００６６】
また、上記実施例において、携帯端末１においてタッチパネル式表示器３が具備されるものとしたが、表示器３はタッチパネル式でなくともよく、その場合、表示器３に表示された操作子画像を、マウスやキーボード等その他適宜の操作手段を用いて操作すればよい。また、上記実施例においては、携帯端末１にてユーザ入力操作を受け付けるための操作ツール画像として、携帯端末１の遠隔制御の対象として選択された操作子を模擬する操作子画像（ＧＵＩオブジェクト）を表示器３に生成する例を示したが、これに限らず、例えば、選択された操作子の名前と該操作子に対応するパラメータ設定値の数値を表示し、ユーザに数値入力させる方法等であってもよい。すなわち、携帯端末１における操作ツール画像の表示形態や、その入力操作の方法は、従来から知られる適宜の技術を援用してよい。
【００６７】
なお、上記実施例においてミキサ２はディジタル信号処理回路２３を備えるディジタルミキサとしたが（図３参照）、これに限らず、アナログ信号処理回路を具備するアナログオーディオミキサであって、モータ駆動式の電動フェーダを備えた機種に対して、この発明に係る遠隔制御を適用してもよい。
【００６８】
なお、上記実施例においては、この発明に係る遠隔制御を利用する各種データ、すなわちペアリング中機器リストや関連付け操作子リスト等は、携帯端末１においては不揮発メモリ１１に、また、ミキサ２においては不揮発メモリ２７に、それぞれ記録されるものとしたため、例えば携帯端末１の電池が消耗した場合や、作業中断等のために携帯端末１或いはミキサ２の電源を切った場合等においても、各不揮発メモリ１１又は２７に記憶された各種データは保持される、という利点がある。しかし、これに限らずその他適宜の書き換え可能な記憶手段を利用しても、この発明の実施に差し支えない。
【００６９】
なお、上記実施例において、音響装置の一例としてオーディオミキサを挙げたが、オーディオミキサに限らず、その他、適宜の音響装置、例えばエフェクタや、音響信号処理エンジン等にこの発明を適用してもよい。
【００７０】
また、上記実施例においては、この発明を装置の発明として構成及び実施する例を示したが、これに限らず、汎用の端末装置をこの発明に係る遠隔制御装置として動作させるための方法乃至プログラムの形態でこの発明を構成及び実施してもよいし、また、この発明には、前記遠隔制御装置による遠隔制御に対応する機能をミキサにおいて実現させるための方法乃至プログラムも含まれる。
【図面の簡単な説明】
【００７１】
【図１】この発明の一実施例に係る遠隔制御システムの概要を説明するための概念図。
【図２】同実施例に係る携帯型端末装置（遠隔制御装置）の電気的ハードウェア構成例を示すブロック図。
【図３】同実施例に係るディジタルミキサの電気的ハードウェア構成例を示すブロック図。
【図４】（ａ），（ｂ）は同実施例に係る「ペアリング確立処理」の手順の一例を示すフローチャート。
【図５】（ａ）は携帯型端末装置が保持する「ペアリング中機器リスト」の構成例、（ｂ）はミキサが保持する「ペアリング中機器リスト」の構成例。
【図６】（ａ），（ｂ）は同実施例に係る「操作子関連付け処理」の手順の一例を示すフローチャート。
【図７】（ａ）は携帯型端末装置が保持する「操作子関連付けリスト」の構成例、（ｂ）はミキサが保持する「操作子関連付けリスト」の構成例。
【図８】（ａ），（ｂ）は同実施例に係る「パラメータ設定処理」の手順の一例を示すフローチャート。
【図９】上記図８の変更例であって、非リアルタイム制御による「パラメータ設定処理」の手順の一例を示すフローチャート。
【符号の説明】
【００７２】
１  携帯端末装置、２  ミキサ、３  タッチパネル式表示器、４  ミキサの操作子、５  操作子画像、６  携帯型端末装置が保持するペアリング中機器リスト、７  ミキサが保持するペアリング中機器リスト、８  携帯型端末装置が保持する操作子関連付けリスト、８  ミキサが保持する操作子関連付けリスト、１０，２０  ＣＰＵ、１１，２７  不揮発メモリ、２１  ＲＯＭ、１２，２２  ＲＡＭ、１５，２６  通信インターフェース
【図１】
2007258826.tif 000003
【図２】
2007258826.tif 000004
【図３】
2007258826.tif 000005
【図４】
2007258826.tif 000006
【図５】
2007258826.tif 000007
【図６】
2007258826.tif 000008
【図７】
2007258826.tif 000009
【図８】
2007258826.tif 000010
【図９】
2007258826.tif 000011